(57)【要約】      （修正有）【課題】計器をダイビングスーツの袖口部分を介してダイバーの腕に装着しても、計器がダイバーの手首の自由な動きを阻害しないこと。【解決手段】材質自体が弾性変位する伸縮性或は可撓性の帯状規制部材５の一端部が、ダイビングスーツの袖口部分７ａの外面に固定され、一方、その他端部が該ダイビングスーツの袖の長手方向に延在した状態で袖口部分の外面に固定され、計器１を腕に巻付けるために該計器の計器本体２に両基端部が取付けられた連結バンド４の一部を、帯状規制部材の内面と袖口部分の外面の間に通すと、計器は連結バンドを介して袖の長手方向への滑動が規制されるダイビングスーツの袖口部分の構造。【選択図】図３
2013049313.tif 000002
【特許請求の範囲】
【請求項１】
材質自体が弾性変位する伸縮性或は可撓性の帯状規制部材の一端部が、ダイビングスーツの袖口部分の外面に固定され、一方、その他端部が該ダイビングスーツの袖の長手方向に延在した状態で前記袖口部分の外面に固定され、計器を腕に巻付けるために該計器の計器本体に両基端部が取付けられた連結バンドの一部を、前記帯状規制部材の内面と前記袖口部分の外面の間に通すと、前記計器は前記連結バンドを介して前記袖の長手方向への滑動が規制されることを特徴とするダイビングスーツの袖口部分の構造。
【請求項２】
請求項１に於いて、帯状規制部材が、袖口部分の周方向に計器本体を左右で挟むことができる所要間隔を有して一対配設されていることを特徴とするダイビングスーツの袖口部分の構造。
【請求項３】
材質自体が弾性変位する伸縮性或は可撓性の帯状規制部材の両端部が、ダイビングスーツの袖口部分の外面に固定され、一方、前記両端部からループを形成する細長状部分の折返し他端部が該ダイビングスーツの袖の長手方向に延在し、計器を腕に巻付けるために該計器の計器本体に両基端部が取付けられた連結バンドの一部を、前記帯状規制部材のループの中に通すと、前記計器は前記連結バンドの一部を介して前記袖の長手方向への滑動が規制されることを特徴とするダイビングスーツの袖口部分の構造。
【請求項４】
材質自体が弾性変位する伸縮性或は可撓性の帯状規制部材の一端部が、ダイビングスーツの袖口部分の端部に連続し、一方、その他端部側が前記袖口部分の端部から突出した状態で延伸すると共に、該延伸端部の外面に固定された一方の可動側連結手段が面ファスナのメス又はオスのいずれかであり、該可動側連結手段に対応する他方の固定側連結手段が面ファスナのオス又はメスのいずれかであって前記袖口部分に固定され、前記他端部側の外面が前記袖口部分の外面に対向するように折り返しかつ前記可動側連結手段を前記固定側連結手段に押付け係着すると、計器の計器本体に両基端部が取付けられた連結バンドの一部が前記帯状規制部材でカバーされた状態で前記袖の長手方向への滑動が規制されることを特徴とするダイビングスーツの袖口部分の構造。
【請求項５】
材質自体が弾性変位する伸縮性或は可撓性の帯状規制部材の一端部が、ダイビングスーツの袖口部分の端部に固定され、一方、その他端部側が前記袖口部分の端部から突出した状態で延伸すると共に、該延伸端部の外面に固定された一方の可動側連結手段が面ファスナのメス又はオスのいずれかであり、該可動側連結手段に対応する他方の固定側連結手段が面ファスナのオス又はメスのいずれかであって前記袖口部分に固定され、前記他端部側の外面が前記袖口部分の外面に対向するように折り返し、かつ前記可動側連結手段を前記固定側連結手段に押付け係着すると、計器の計器本体に両基端部が取付けられた連結バンドの一部が前記帯状規制部材でカバーされた状態で前記袖の長手方向への滑動が規制されることを特徴とするダイビングスーツの袖口部分の構造。
【請求項６】
請求項１、請求項３、請求項４、請求項５のいずれかに於いて、計器は、ダイビング用の時計・水深計・コンパス・水温計・残圧計・これらの複数の機能を有する計器コンソールのいずれかであることを特徴とするダイビングスーツの袖口部分の構造。
【発明の詳細な説明】
【技術分野】
【０００１】
本発明は、ウエットスーツ、ドライスーツ等のダイビングスーツの袖口部分の構造に関する。
【背景技術】
【０００２】
ダイビング分野の当業者には周知のように、スキューバダイビングの際に使用されるレギュレータは、スキューバタンク（高圧タンク）内の圧力空気を使用可能なレベルまで下げるために設計され、ダイバーが空気を吸った時にだけ空気を送り出す。スキューバタンクの上端部に取り付けられた該レギュレータには、高圧ホースの基端部が取り付けられ、この高圧ホースの自由端部には、残圧や水深などの情報を表示する計器本体が設けられている。
【０００３】
特許文献１は、スキューバが高圧タンクを背負ってスキューバダイビングを行う際、レギュレータ１０２からぶら下がっている高圧ホース１０１のゲージ１００が、海中或は水中で自由に動き、例えば岩などに当たって破損したり、珊瑚や貝などの水生生物をむやみに傷つけたりする場合があることを指摘し、この問題点を解消するために、固定式のスキューバダイビング用ゲージを提案している（符号は特許文献１のもの）。
【０００４】
しかして、例えば特許文献１の図１で示すように、高圧ホース１０の自由端部に設けられたゲージは、保護部材（収納ケース）１と、この収納ケースの上面に形成された凹所に組み込まれた計器本体２とから成り、前記収納ケース１の底部３には、例えば２本のクリップ４が設けられている。一方、前記ゲージを係止するためのバンド５が存在し、このバンド５の表面には固定面ファスナのメス（またはオス）７が、例えば２か所形成されている。また、バンド５にはヒンジ８がその基端部で、例えば２か所に取り付けられて、該ヒンジ８の基端部での取付け個所は、前記固定面ファスナのメス（またはオス）７の形成部分の端部となっている。
【０００５】
上記構成に於いて、スキューバダイビングの際、バンド５をダイバーの腕に巻きつけ、次いで、左右の突片状の可動面ファスナのオス（またはメス）９、９を収納ケース１の底部３の２本のクリップ４に通し、然る後に、バンド５の表面の固定面ファスナのメス（またはオス）７に可動面ファスナのオス（またはメス）９、９を押圧係着すると、計器本体１、２は、腕に巻きつけたバンド５を介して体の一部（手首）に装着される。
【０００６】
しかしながら、特許文献１は、次のような問題点がある。スキューバダイビングは、スキンダイビングとは相違し、スキューバタンク（高圧タンク）を背負い、例えば海中の１５メータ程度に潜る。そうすると、ダイビングスーツの袖口部分も水圧により収縮方向に締め付けられる。そこで、例えばダイバーが手首に直にではなく、前記ダイビングスーツの袖口部分の外周面にバンド５を巻き付けていると、袖口部分の外周面とバンド５の内周面との間に若干の隙間が発生し、このためにバンド５が袖口まで滑動して手首の自由な動きを阻害する。
【先行技術文献】
【特許文献】
【０００７】
【特許文献１】特開平７−２１８３６９号公報
【発明の概要】
【発明が解決しようとする課題】
【０００８】
本願発明の所期の目的は、特許文献１の問題点に鑑み、計器が、ダイビング用の時計・水深計・コンパス・水温計・残圧計・これらの複数の機能を有する計器コンソールのいずれかである場合に於いて、該計器をダイビングスーツの袖口部分を介してダイバーの腕に装着しても、計器がダイバーの手首の自由な動きを阻害しないダイビングスーツの袖口部分の構造を提案することである。第２の目的は、安価なダイビングスーツの袖口部分の構造を提案することである。第３の目的は、計器が、袖口部分の周方向へも滑動しないダイビングスーツの袖口部分の構造を提案することである。その他、計器を簡単に装着することができること、デザイン上の違和感がないこと等である。
【課題を解決するための手段】
【０００９】
本発明のダイビングスーツの袖口部分の構造は、材質自体が弾性変位する伸縮性或は可撓性の単数又は複数本の帯状規制部材の一端部が、ダイビングスーツの袖口部分の外面に固定され、一方、その他端部が該ダイビングスーツの袖の長手方向に延在した状態で前記袖口部分の外面に固定され、計器を腕に巻付けるために該計器の計器本体に両基端部が取付けられた連結バンドの一部を、前記帯状規制部材の内面と前記袖口部分の外面の間に通すと、前記計器は前記連結バンドを介して前記袖の長手方向への滑動が規制されることを特徴とする。
【００１０】
また、本発明のダイビングスーツの袖口部分の構造は、材質自体が弾性変位する伸縮性或は可撓性の帯状規制部材の両端部が、ダイビングスーツの袖口部分の外面に固定され、一方、前記両端部からループを形成する細長状部分の折返し他端部が該ダイビングスーツの袖の長手方向に延在し、計器を腕に巻付けるために該計器の計器本体に両基端部が取付けられた連結バンドの一部を、前記帯状規制部材のループの中に通すと、前記計器は前記連結バンドの一部を介して前記袖の長手方向への滑動が規制されることを特徴とする。
【００１１】
また、本発明のダイビングスーツの袖口部分の構造は、材質自体が弾性変位する伸縮性或は可撓性の帯状規制部材の一端部が、ダイビングスーツの袖口部分の端部に連続し、或は固定され、一方、その他端部側が前記袖口部分の端部から突出した状態で延伸すると共に、該延伸端部の外面に固定された一方の可動側連結手段が面ファスナのメス又はオスのいずれかであり、該一方の連結手段に対応する他方の固定側連結手段が面ファスナのオス又はメスのいずれかであって前記袖口部分に固定され、前記他端部側の外面が前記袖口部分の外面に対向するように折り返し、かつ前記可動側連結手段を前記固定側連結手段に押付け係着すると、計器の計器本体に両基端部が取付けられた連結バンドの一部が前記帯状規制部材でカバーされた状態で前記袖の長手方向への滑動が規制されることを特徴とする。
【００１２】
ここで「袖口部分」は、ダイバーが片手で手首を握ることができる幅が一応の目安となり、発明の目的を逸脱しない範囲で、その幅を拡大解釈することができる（袖口部分寄りの部位も含まれる）。
【発明の効果】
【００１３】
（ａ）該計器の計器本体に両基端部が取付けられた連結バンドの一部が、少なくとも一端部がダイビングスーツの前記袖口部分の外面に固定された、あるいは連続する伸縮性或は可撓性の帯状規制部材によって、ダイバーの手の平方向への移動が規制されるので、計器が、ダイビング用の時計・水深計・コンパス・水温計・残圧計・これらの複数の機能を有する計器コンソールのいずれかである場合に於いて、該計器をダイビングスーツの袖口部分を介してダイバーの腕に装着しても、計器が袖口から食み出すように滑動しないので、ダイバーの手首の自由な動きを阻害しない。また、計器が袖口部分から落下し難い。
（ｂ）また、計器の滑動を規制する部材が、単数又は複数本の伸縮性或は可撓性の帯状規制部材で足りることから、非常に安価な素材でダイビングスーツの袖口部分の構造を提案することができる。
（ｃ）帯状規制部材に対して、計器の連結バンドの一部を通すだけなので、装着が容易である。
（ｄ）請求項２に記載の発明は、計器が、袖口部分の長手方向のみならず、その周方向へも滑動しないので、複数の機能を有する計器コンソールも装着可能である。
（ｅ）請求項４及び請求項５に記載の各発明は、可撓性の帯状規制部材の一端部が、ダイビングスーツの袖口部分の端部に固定され、或は連続し、一方、その他端部側が前記袖口部分の端部から突出した状態で延伸すると共に、該延伸端部の外面に固定された一方の連結手段が面ファスナのメス又はオスのいずれかであり、該一方の連結手段に対応する他方の連結手段が面ファスナのオス又はメスのいずれかであって前記袖口部分の端部寄りの部位に固定されているので、簡単に計器の連結バンドを規制することができる。
（ｆ）帯状規制部材を袖口部分に設けたので、デザイン上の違和感がないこと。
【図面の簡単な説明】
【００１４】
図１乃至図４は本発明の第１実施形態を示す各説明図。図５は本発明の第２実施形態、図６及び図７は本発明の第３実施形態、図８乃至図１０は本発明の第４実施形態を示す各説明図。
【図１】主たる構成部材の説明図。
【図２】帯状規制部材の両端部が袖口部分の外面に固定（逢着）された説明図。
【図３】計器を袖口部分の外面に巻き付けた状態における説明図。
【図４】図３の概略断面説明図。
【図５】本発明の第２実施形態を示す説明図（帯状規制部材を複数本描くために袖口部分を展開）。
【図６】本発明の第３実施形態を示す要部の斜視図。
【図７】第３実施形態の図３と同様の説明図。
【図８】本発明の第４実施形態を示す要部の斜視図。
【図９】袖口部分の外周面に計器を巻き付けた状態の説明図（帯状規制部材を係着する前）。
【図１０】図９に於いて、帯状規制部材を係着した状態の説明図。
【発明を実施するための最良の形態】
【００１５】
図１乃至図４は本発明の第１実施形態を示す各説明図である。図に於いて、１はダイビング用の計器である。ここでの計器１には、日常生活で手首に装着する時計も含まれる。周知の如く、ダイビングの中でも、例えば海中に深く潜るスキューバダイビングにとって重要な計器１は、水面下で使用する時間測定器である。何故ならば、図示しない高圧タンクのエアーは、普通３０分程度しかもたないからである。また、水深計（深度計）、コンパス、そして、残圧計が最低限必要である。
【００１６】
したがって、ここでのダイビング用計器１には、当業者の常識の範囲内で、例えば時計（ダイビングウオッチ）・水深計・コンパス・水温計・残圧計・これらの複数の機能を有する計器コンソール等が含まれる。
【００１７】
しかして、計器１は、図１で示すように、単数又は複数の測定機能を有する計器本体２と、この計器本体２側周面の一方（図１では左側）に基端部が取り付けられた一方の可撓性バンド３と、この一方の可撓性バンドの自由端部を連結することができるように該計器本体２側周面の他方（図１では右側）に基端部が取り付けられた他方の可撓性バンド４とから成り、前記一方の可撓性バンド３には複数の不番係止孔が所要間隔を有して形成され、また前記他方の可撓性バンド４の自由端部には不番バックルが取付けられている。
【００１８】
次に５は材質自体が弾性変位する伸縮性或は可撓性の帯状規制部材である。この帯状規制部材５の材質は、速乾性、耐久性、弾性変位性、弾性変位復帰性、耐光性、耐水性等を考慮して適宜に選択される。望ましくは耐水性のゴムや合成樹脂材が選択される。実施形態では、図１で示すように帯状規制部材５の細長状部分５ａの両端部５ｂ、５ｂは、任意形状の幅広に形成され、該幅広両端部５ｂ、５ｂが、図２で示すように固定（例えば逢着）される。付言すると、帯状規制部材５の両端部５ｂ、５ｂは、その細長状部分５ａがウエットスーツ、ドライスーツ等のダイビングスーツの袖７の長手方向に沿うように袖口部分７ａに逢着される。
【００１９】
したがって、前記細長状部分５ａは袖口部分７ａの外面に固定されていないので、該細長状部分５ａを指で摘んで手前（外方向）へ引くことができる（弾性変位機能）。また、細長状部分５ａを引いた状態で指を離すと、元の状態に復帰して袖口部分７ａの外面と面接触の状態と成る（弾性復帰機能）。
【００２０】
図３は計器１を袖口部分７ａの外面に巻き付けた状態における説明図、図４は図３の概略断面説明図である。前述したように、特許文献１の記載のゲージは、スキューバダイビングの際、バンドをダイバーの腕に巻きつけ、次いで、左右の突片状の面ファスナのオスを収納ケースの底部のクリップに通し、然る後に、バンドの表面のファスナに可動側のファスナを押圧係着する必要があるが、本実施形態では、図２で示すように、予め袖口部分７に所定長の帯状規制部材５が一体的に取り付けられているので、その細長状部分５ａの略中央部を指で摘んで手前（外方向）へ引きながら、該袖口部分７の外周面に巻き付けようとする計器１の連結バンド３、４を通し、その後、細長状部分５ａから指を離せば良い。したがって、図３は、計器１がその連結バンド３、４を介して、ダイビングスーツの袖７の長手方向への滑動が規制された状態を示す。
【００２１】
以上のように、第１実施形態のダイビングスーツの袖口部分の構造は、材質自体が弾性変位する伸縮性或は可撓性の帯状規制部材５の一端部５ｂが、ダイビングスーツの袖口部分７ａの外面に固定され、一方、その他端部５ｂが該ダイビングスーツの袖７の長手方向に延在した状態で前記袖口部分７ａの外面に固定され、計器１を腕に巻付けるために該計器１の計器本体２に両基端部が取付けられた連結バンド３、４を、前記帯状規制部材５の内面と前記袖口部分７ａの外面の間に通すと、前記計器１は前記連結バンド３、４を介して前記袖７の長手方向への滑動が規制される。
【実施例】
【００２２】
この欄では、本発明の他の実施形態を説明する（同一の構成部分には同一・同様の符号を付して重複する説明を割愛する）。
【００２３】
まず、図５は第２実施形態を示すもので、説明の便宜上、帯状規制部材５、５を複数本描くために袖口部分７ａの一部を展開状態に示している。なお、符号１０はダイバーの袖口部分７ａの端部７ｂから突出する右手で、該右手１０の手首は前記袖口部分７ａで覆われている。
【００２４】
この第２実施形態は、帯状規制部材５を、複数本、例えば２本所定間隔を有して袖口部分７ａに一体的に設けているが、発明の課題は第１実施形態と同一である。ただ、第１実施形態と異なる点は、２本、或は３本、或はまた４本の帯状規制部材５、５が、袖口部分７ａの周方向に計器本体２を左右で挟むことができる所要間隔を有して一対配設されているので、肉太矢印で示すように、計器１は、袖口部分７ａの長手方向のみならず、その周方向へも袖口から食み出すように滑動しない。したがって、複数の機能を有するやや大型の計器コンソールも装着可能である。それ故に、計器１の大きさ如何によっては、第２実施形態の帯状規制部材５、５の長さは、第１実施形態のそれよりも長いことが望ましい。
【００２５】
次に、図６及び図７は第３実施形態の各説明図である。この第３実施形態が第１実施形態と主に異なる点は、袖口部分７ａに対する帯状規制部材５Ａの取り付け態様である。また第３実施形態の帯状規制部材５Ａは、可撓性部材であるが、必ずしも弾性復帰機能を有する必要はない。
【００２６】
そこで、第３実施形態のダイビングスーツの袖口部分の構造は、材質自体が弾性変位する伸縮性或は可撓性の帯状規制部材５Ａの両端部５ｂ、５ｂが、ダイビングスーツの袖口部分７ａの外面に固定され、一方、前記両端部５ｂ、５ｂからループを形成する細長状部分５ａの折返し他端部が、該ダイビングスーツの袖の長手方向に延在し、計器１を腕に巻付けるために計器本体２に両基端部が取付けられた連結バンド３、４を、前記帯状規制部材のループの中に通すと、前記計器１は前記連結バンド３、４の一部を介して前記袖の長手方向への滑動が規制される。
【００２７】
なお、この第３実施形態に於いても、第２実施形態と同様に帯状規制部材５Ａを、複数本、例えば２本所定間隔を有して袖口部分７ａに一体的に設けても良い。また、細長状部分５ａの折返し他端部の背面、或は細長状部分５ａのループを形成する一方の内側片部分の背面全体は、袖口部分７ａの外面に固定されていても良いし、又は離れていても良い。
【００２８】
最後に、図８乃至図１０は本発明の第４実施形態を示す各説明図である。この第４実施形態が第１実施形態と主に異なる点は、帯状規制部材５Ｂの一端部５ｂが袖口部分７ａの端部７ｂに連続して手１０の方向へ延伸している点である。なお、図８、図９等では、帯状規制部材５Ｂの一端部５ｂが袖口部分７ａの端部７ｂに連続している実施形態を示しているが、もちろん、帯状規制部材５Ｂの一端部５ｂを袖口部分７ａの端部７ｂに固定（例えば縫着）しても良い。
【００２９】
図８を参照にすると、帯状規制部材５Ｂの他端部側の端部５ｂを袖口部分７ａ或は袖口部分寄りの部位に係着する連結手段の一例として、可動側の面ファスナ１２と、固定側の面ファスナ１３を採用している。第４実施形態では、図９で示すように、袖口部分７ａの外周面に計器１を巻き付けた状態で、肉太矢印（袖口部分７ａの外面）方向に固定端としての一端部５ｂ側を折り返して可動側の面ファスナ１２を固定側の面ファスナ１３に押付け係着すると、第１実施形態と同様に、計器１の連結バンド３、４の一部が単数又は複数本の帯状規制部材５Ｂでカバーされた状態で袖７の長手方向への滑動が規制される。この第４実施形態も、帯状規制部材５Ｂを複数本、例えば２本所定間隔を有して袖口部分７ａに一体的に設けても良い。
【００３０】
したがって、この第４実施形態のダイビングスーツの袖口部分の構造は、材質自体が弾性変位する伸縮性或は可撓性の帯状規制部材５Ｂの一端部が、ダイビングスーツの袖口部分７ａの端部に連続し、或は固定され、一方、その他端部側が前記袖口部分７ａの端部７ｂから突出した状態でダイバーの手１０の方向へ延伸すると共に、該延伸端部の外面に固定された一方の可動側連結手段が面ファスナ１２のメス又はオスのいずれかであり、該一方の可動側連結手段に対応する他方の固定側連結手段１３が面ファスナのオス又はメスのいずれかであって前記袖口部分７ａ寄りの部位に固定され、前記可動側連結手段１２を前記袖口部分７ａの固定側連結手段１３に対向するように折り返し、かつ可動側連結手段１２を固定側連結手段１３に押付け係着すると、計器１の計器本体２に両基端部が取付けられた連結バンド３，４の一部が、単数又は複数本の前記帯状規制部材５Ｂでカバーされた状態で袖７の長手方向への滑動が規制される。
【産業上の利用可能性】
【００３１】
本発明は、ダイビング分野で利用される。
【符号の説明】
【００３２】
１…計器、２…計器本体、３、４…連結バンド、５、５Ａ、５Ｂ…帯状規制部材、５ａ…帯状規制部材の細長状部分、５ｂ…帯状規制部材の一端部と他端部（両端部）、７…袖、７ａ…袖口部分、１２…一方の可動側連結手段、１３…他方の固定側連結手段。
【図１】
2013049313.tif 000003
【図２】
2013049313.tif 000004
【図３】
2013049313.tif 000005
【図４】
2013049313.tif 000006
【図５】
2013049313.tif 000007
【図６】
2013049313.tif 000008
【図７】
2013049313.tif 000009
【図８】
2013049313.tif 000010
【図９】
2013049313.tif 000011
【図１０】
2013049313.tif 000012